(57)【要約】  【課題】  送風方向を大きく変更することができるようにすることにより、更に快適な空気調和を実現できるようにした空気調和機を提供する。  【解決手段】  吸込口１と連通口２とを備え、熱交換器３を収容した熱交換器ユニット４と、前記連通口２に接続される接続口５と吹出口６とを備え、送風機７を収容した送風機ユニット８とで構成すると共に、前記送風機ユニット８を、前記熱交換器ユニット４の連通口２に面して回動自在に装着した。【選択図】  図２
2005331186.tif 000002
【特許請求の範囲】
【請求項１】
吸込口と連通口とを備え、熱交換器を収容した熱交換器ユニットと、前記連通口に接続される接続口と吹出口とを備え、送風機を収容した送風機ユニットとで構成され、
前記送風機ユニットが、前記熱交換器ユニットの連通口に面して回動自在に装着されてなることを特徴とする空気調和機。
【請求項２】
前記送風機ユニットを回動する駆動装置が、前記連通口に設けられたガイドと、同ガイドに回動自在に保持され、前記送風機ユニットに取り付けられるリング状のラックと、同ラックに連係される駆動モータとからなることを特徴とする請求項１に記載の空気調和機。
【請求項３】
前記送風機ユニットが、前記熱交換器ユニットに複数設けられてなることを特徴とする請求項１に記載の空気調和機。
【発明の詳細な説明】
【技術分野】
【０００１】
本発明は、空気調和機に係わり、より詳細には、送風方向を大きく変更することができるようにしたものに関する。
【背景技術】
【０００２】
送風方向を変更することができる送風方向可変装置を備えた空気調和機として、横流ファンの軸を中心としてそのファンケーシング自体を回転させて、ケーシングの先にある吹出口を下方に向けた送風効率のよいものが開示されていた（例えば、特許文献１参照。）。
【０００３】
上記送風方向可変装置は、風向調節板のみの送風方向の変更によって生じる欠点を除き、ファンケーシングを可動とすることによって、とくに水平吹き出しから下方吹き出しの広範囲にわたり、能率を低下させずに送風ができる特徴を有している。
【０００４】
しかしながら、吹出口を水平方向から下方に向けることで送風方向を変更できる構成であることから、例えば風向調節板による送風方向の変更にたよることなく、例えばファンケーシングが、吹出口を上方や横方向にも送風方向を変更できるように回動する構成ではないことから、送風方向を大きく変更できるようにすることによって更に快適な空気調和を実現したいというニーズがあった。
【特許文献１】実開昭５７−１７５９２６号公報（第１頁〜第３頁、第１図〜第２図）
【発明の開示】
【発明が解決しようとする課題】
【０００５】
本発明は上記の問題点に鑑み、送風方向を大きく変更することができるようにすることにより、更に快適な空気調和を実現できるようにした空気調和機を提供することを目的とする。
【課題を解決するための手段】
【０００６】
本発明は、上記課題を解決するため、吸込口と連通口とを備え、熱交換器を収容した熱交換器ユニットと、前記連通口に接続される接続口と吹出口とを備え、送風機を収容した送風機ユニットとで構成され、
前記送風機ユニットが、前記熱交換器ユニットの連通口に面して回動自在に装着されてなる構成となっている。
【０００７】
また、前記送風機ユニットを回動する駆動装置が、前記連通口に設けられたガイドと、同ガイドに回動自在に保持され、前記送風機ユニットに取り付けられるリング状のラックと、同ラックに連係される駆動モータとからなる構成となっている。
【０００８】
更に、前記送風機ユニットが、前記熱交換器ユニットに複数設けられてなる構成となっている。
【発明の効果】
【０００９】
本発明によれば、送風機ユニットが熱交換器ユニットに回動自在に装着されているので、送風機ユニットを回動することにより、同送風機ユニットに設けられた吹出口を所定の方向に向けて吹出空気を送出できるようにした空気調和機となる。
【００１０】
すなわち、空気調和機の上下および左右の所定の方向に向けて、吹出空気を縦横無尽に送出できるようになることから、送風方向を大きく変更できるようになり、例えば空気調和機を壁面の上位部に限らず下位部に据え付けた場合にも、希望する方向の吹出空気を得て快適な空気調和を実現できるようになる。
【発明を実施するための最良の形態】
【００１１】
以下、本発明の実施の形態を、添付図面に基づいた実施例として詳細に説明する。
図１は本発明による空気調和機の実施例１を示す説明図で、（Ａ）は吹出し方向の一例を示す斜視図、（Ｂ）は吹出し方向の他の例を示す斜視図であり、図２は据付状態を示す説明図で、（Ａ）は壁面に据え付けた状態を、（Ｂ）は天井面に据え付けた状態を夫々示す断面図であり、図３は本発明による空気調和機の説明図で、（Ａ）は分解斜視図、（Ｂ）は要部断面図であり、図４は本発明による空気調和機の要部分解斜視図であり、図５は壁面下位部に据え付けた状態を示す説明図で、（Ａ）は斜視図、（Ｂ）は側面図であり、図６は本発明による空気調和機の実施例２を示す斜視図であり、図７はプロペラファンを採用した事例を示す説明図で、（Ａ）は壁面に据え付けた状態を、（Ｂ）は天井面に据え付けた状態を夫々示す断面図である。
【００１２】
本発明による空気調和機は、図で示すように、上面から両側面にかけて連続形成された吸込口１と、同吸込口１から吸い込まれた空気を送出する連通口２とを備え、これら吸込口１と連通口２とを結ぶ空気通路に熱交換器３を設けると共に、同熱交換器３から滴下する凝縮水を受ける露受皿12を設けてなる熱交換器ユニット４と、前記連通口２に接続される接続口５と連通する吹出口６とを備え、これら接続口５と吹出口６とを結ぶ空気通路に、送風ファン7aおよびこれを駆動するファンモータ7bからなる送風機７を収容した送風機ユニット８とで構成されている。
【００１３】
なお、前記送風ファン7aは、図２（Ａ）および図２（Ｂ）と、図４とで示すようにクロスフローファンを採用した実施例として説明しているが、クロスフローファン以外であっても、例えば図７（Ａ）および図７（Ｂ）で示すようにプロペラファンを採用するようにしてもよい。
【実施例１】
【００１４】
前記送風機ユニット８は、実施例１として図１（Ａ）および図１（Ｂ）の矢印ａで示すように、前記熱交換器ユニット４に対して回動自在に装着されるように構成されており、これによって、前記吹出口６を所定の方向に向けた状態で吹出空気を送出できるようになる。
【００１５】
すなわち、前記吹出口６から吹出される空気は、空気調和機の上下および左右の所定の方向に向けて縦横無尽に送出されるようになることから、送風方向を大きく変更できるようになり、希望する方向の吹出空気を得ることができて快適な空気調和を実現できるようになる。
【００１６】
次に、前記送風機ユニット８を回動自在に駆動するための駆動装置の構成について説明する。
【００１７】
前記熱交換器ユニット４の連通口２には、図３（Ａ）で示すようなガイド16が設けられ、同ガイド16によってリング状のラック13が回動自在に保持されると共に、同ラック13が取り付けられ前記送風機７を収容した送風機ユニット８が、同送風機ユニット８に対応する穴を有した前面パネル11といっしょに装着されるようになっている。
【００１８】
前記熱交換器ユニット４の連通口２に装着された前記送風機ユニット８は、図３（Ｂ）で示すように、前記ラック13に連係される連係歯車14を備えた駆動モータ15によって駆動され、図１（Ａ）および図１（Ｂ）の矢印ａで示すように回動することにより、前記吹出口６を所定の方向に向けることができるようになっている。
【００１９】
なお、前記熱交換器ユニット４の連通口２は、上端部を前方に突出させ下端部を後退させた状態になるように傾斜させた構成になっており、これによって、例えば図２（Ａ）で示すように壁面Ａに据付設置した場合、前記送風機ユニット８が壁面Ａに対し所定の角度を有して回動するようになるため、図５（Ｂ）で示すように吹出方向に変化をもたせることができて、水平方向や垂直方向に吹出空気を送出できるようになる。
【００２０】
または、例えば図２（Ｂ）で示すように天井面Ｂに吊下げ設置した場合、前記送風機ユニット８が天井面Ｂに対し所定の角度を有して回動するようになるため、前記壁面Ａへの据付設置の場合と同様に吹出方向に変化をもたせることができて、水平方向や垂直方向に吹出空気を送出できるようになる。
【００２１】
その際、前記露受皿12は、図２（Ａ）で示すように、空気調和機が前記壁面Ａに据付設置された場合、もしくは図２（Ｂ）で示すように、前記天井面Ｂに吊下げ設置された場合にも、前記熱交換器３から滴下する凝縮水を受けることができるように構成されている。
【００２２】
前記送風機ユニット８は、図４で示すように、ステッピングモータａを連係したファンケーシング９の軸受部9aに送風機７が軸支され、前記吹出口６に連通する導風口9cを備えた前記ファンケーシング９の支軸9bが、前記送風機ユニット８の軸受部8aに揺動可能に支持されるように構成されている。
【００２３】
これによって、前記送風機ユニット８を回動した際、前記送風機７を軸支した前記ファンケーシング９の導風口9cを、前記ステッピングモータａによって揺動させることにより、前記吹出口６から吹き出される吹出空気の送風範囲を大きく拡げることができるようになる。
【００２４】
より詳細には、例えば図５（Ａ）で示すように、空気調和機を壁面Ａの下位部（床面Ｃ上）に設置することによって、横方向あるいは斜め上方に向けて吹出空気を送出できるようになり、また図５（Ｂ）で示すように、上方あるいは床面に沿うように前方に向けて吹出空気を送出できるようになることから、被空調室の状況や使用者のニーズに対応して、空気調和機を壁面Ａの下位部（床面Ｃ上）や上位部、もしくは図２（Ｂ）で示すように天井面Ｂに設置して快適な空気調和を実現できるようになる。
【実施例２】
【００２５】
また、実施例２として図６で示すように、前記熱交換器ユニット４に対し、前記送風機ユニット８を複数設けるように構成してもよい。
【００２６】
これにより、前記複数の送風機ユニット８を、矢印ａで示すように回動させることにより、更に送風方向を大きく変更できるようになって、吹出空気を効果的な方法で縦横無尽に送出できるようになる。
【００２７】
この場合、前記複数の送風機ユニット８を回動させる際、例えば、同時にそして同一速度で回動させるようにしたり、もしくはタイミングをずらしたり、異なる速度で異なる方向に回動させることによって送風方向に変化をもたせるようにしてもよい。
【００２８】
以上、実施例１および実施例２で説明したように、本体発明による空気調和機であれば、前記送風機ユニット８に設けられた吹出口６を所定の方向に向けて吹出空気を送出できるようになり、希望する方向の吹出空気を得ることができて快適な空気調和を行えるようになる。
【００２９】
なお、前記送風機ユニット８は、連続的に所定の方向に回動させるようにしたり、矢印ａで示すように連続的に往復回動させるようにしてもよいし、所定の角度まで回動した位置で停止させるようにしてもよい。
【図面の簡単な説明】
【００３０】
【図１】本発明による空気調和機の実施例１を示す説明図で、（Ａ）は吹出し方向の一例を示す斜視図であり、（Ｂ）は吹出し方向の他の例を示す斜視図である。
【図２】本発明による空気調和機の据付状態を示す説明図で、（Ａ）は壁面に据え付けた状態を示す断面図であり、（Ｂ）は天井面に据え付けた状態を示す断面図である。
【図３】本発明による空気調和機の説明図で、（Ａ）は分解斜視図であり、（Ｂ）は要部断面図である。
【図４】本発明による空気調和機の要部分解斜視図である。
【図５】壁面下位部に据え付けた状態を示す説明図で、（Ａ）は斜視図であり、（Ｂ）は側面図である。
【図６】本発明による空気調和機の実施例２を示す斜視図である。
【図７】プロペラファンを採用した事例を示す説明図で、（Ａ）は壁面に据え付けた状態を示す断面図であり、（Ｂ）は天井面に据え付けた状態を示す断面図である。
【符号の説明】
【００３１】
Ａ  壁面
Ｂ  天井面
Ｃ  床面
１  吸込口
２  連通口
３  熱交換器
４  熱交換器ユニット
５  接続口
６  吹出口
７  送風機
7a  送風ファン
7b  ファンモータ
８  送風機ユニット
8a  軸受部
９  ファンケーシング
9a  軸受部
9b  支軸
9c  導風口
10  風向偏向板
11  前面パネル
12  露受皿
13  ラック
14  連係歯車
15  駆動モータ
16  ガイド
ａ  ステッピングモータ
【図１】
2005331186.tif 000003
【図２】
2005331186.tif 000004
【図３】
2005331186.tif 000005
【図４】
2005331186.tif 000006
【図５】
2005331186.tif 000007
【図６】
2005331186.tif 000008
【図７】
2005331186.tif 000009